【手続補正書】
【提出日】平成22年9月29日(2010.9.29)
【手続補正１】
【補正対象書類名】明細書
【補正対象項目名】発明の名称
【補正方法】変更
【補正の内容】
【発明の名称】光ディスク装置及びその制御方法
【手続補正２】
【補正対象書類名】特許請求の範囲
【補正対象項目名】全文
【補正方法】変更
【補正の内容】
【特許請求の範囲】
【請求項１】
光ディスクからの反射光に基づいてフォーカスエラー信号を生成するフォーカスエラー信号生成手段と、
フォーカス制御を行うサーボ処理手段と、
前記フォーカス制御の基準となる基準フォーカス値を記憶する記憶手段と、
前記基準フォーカス値に所定値を加算した第１修正フォーカス値及び前記基準フォーカス値から前記所定値を減算した第２修正フォーカス値を生成する制御手段と、を具備し、
前記制御手段は、前記基準フォーカス値に基づいてテストデータを記録し、このテストデータを再生する際に生成されるフォーカスエラー信号の基準電圧に対する正側の振幅量と負側の振幅量との比率に基づいて、前記第１修正フォーカス値または前記第２修正フォーカス値のいずれかを用い、さらにテストデータの記録を行うか否かを判断することを特徴とする光ディスク装置。
【請求項２】
前記制御手段は、前記基準フォーカス値に基づいて記録されたテストデータから得られたフォーカスエラー信号の基準電圧に対する正側の振幅量が負側の振幅量より大きい場合、前記基準フォーカス値の代わりに前記第１修正フォーカス値を用いて前記テストデータの記録を行うことを特徴とする請求項１記載の光ディスク装置。
【請求項３】
前記制御手段は、前記基準フォーカス値に基づいて記録されたテストデータから得られたフォーカスエラー信号の基準電圧に対する正側の振幅量が負側の振幅量より小さい場合、前記基準フォーカス値の代わりに前記第２修正フォーカス値を用いて前記テストデータの記録を行うことを特徴とする請求項１記載の光ディスク装置。
【請求項４】
光ディスクからの反射光に基づいてフォーカスエラー信号を生成するフォーカスエラー信号生成手段と、
フォーカス制御及びチルト制御を行うサーボ処理手段と、
前記フォーカス制御の基準となる第１基準フォーカス値及び第２基準フォーカス値と、チルト制御の基準となる第１基準チルト値及び第２基準チルト値とを記憶する記憶手段と、
前記第１基準フォーカス値に所定値を加算した第１修正フォーカス値及び前記第１基準フォーカス値から前記所定値を減算した第２修正フォーカス値を生成し、前記第２基準フォーカス値に所定値を加算した第３修正フォーカス値及び前記第２基準フォーカス値から前記所定値を減算した第４修正フォーカス値を生成する制御手段と、を具備し、
前記制御手段は、前記第１基準フォーカス値と前記第１基準チルト値との組み合わせに基づいて前記テストデータを記録し、このテストデータを再生する際に生成されるフォーカスエラー信号の基準電圧に対する正側の振幅量と負側の振幅量との比率に基づいて、前記第１修正フォーカス値または前記第２修正フォーカス値のいずれかを用い、さらにテストデータの記録を行うか否かを判断すると共に、
前記第２基準フォーカス値と前記第２基準チルト値との組み合わせに基づいて前記テストデータを記録し、このテストデータを再生する際に生成されるフォーカスエラー信号の基準電圧に対する正側の振幅量と負側の振幅量との比率に基づいて、前記第３修正フォーカス値または前記第４修正フォーカス値のいずれかを用い、さらにテストデータの記録を行うか否かを判断することを特徴とする光ディスク装置。
【請求項５】
フォーカス制御の基準となる基準フォーカス値を記憶し、
前記基準フォーカス値に所定値を加算した第１修正フォーカス値及び前記基準フォーカス値から前記所定値を減算した第２修正フォーカス値を生成する光ディスク装置の制御方法であって、
前記基準フォーカス値に基づいてテストデータを記録し、このテストデータを再生する際に生成されるフォーカスエラー信号の基準電圧に対する正側の振幅量と負側の振幅量との比率に基づいて、前記第１修正フォーカス値または前記第２修正フォーカス値のいずれかを用い、さらにテストデータの記録を行うか否かを判断することを特徴とする光ディスク装置の制御方法。
【請求項６】
フォーカス制御の基準となる第１基準フォーカス値及び第２基準フォーカス値と、チルト制御の基準となる第１基準チルト値及び第２基準チルト値とを記憶し、
前記第１基準フォーカス値に所定値を加算した第１修正フォーカス値及び前記第１基準フォーカス値から前記所定値を減算した第２修正フォーカス値を生成し、前記第２基準フォーカス値に所定値を加算した第３修正フォーカス値及び前記第２基準フォーカス値から前記所定値を減算した第４修正フォーカス値を生成する光ディスク装置の制御方法であって、
前記第１基準フォーカス値と前記第１基準チルト値との組み合わせに基づいて前記テストデータを記録し、このテストデータを再生する際に生成されるフォーカスエラー信号の基準電圧に対する正側の振幅量と負側の振幅量との比率に基づいて、前記第１修正フォーカス値または前記第２修正フォーカス値のいずれかを用い、さらにテストデータの記録を行うか否かを判断すると共に、
前記第２基準フォーカス値と前記第２基準チルト値との組み合わせに基づいて前記テストデータを記録し、このテストデータを再生する際に生成されるフォーカスエラー信号の基準電圧に対する正側の振幅量と負側の振幅量との比率に基づいて、前記第３修正フォーカス値または前記第４修正フォーカス値のいずれかを用い、さらにテストデータの記録を行うか否かを判断することを特徴とする光ディスク装置の制御方法。
【手続補正３】
【補正対象書類名】明細書
【補正対象項目名】００１３
【補正方法】変更
【補正の内容】
【００１３】
本発明は上記課題を解決するためになされたもので、記録層の位置ずれや反りが大きい光ディスクを使用する場合であっても、そのずれ分やそり分を考慮して、使用する光ディスクに最適な対物レンズの位置を算出できる光ディスク装置及びその制御方法を提供することを目的とする。
【手続補正４】
【補正対象書類名】明細書
【補正対象項目名】００１４
【補正方法】変更
【補正の内容】
【００１４】
本発明は上記課題を解決するためになされたものであって、光ディスクからの反射光に基づいてフォーカスエラー信号を生成するフォーカスエラー信号生成手段と、フォーカス制御を行うサーボ処理手段と、フォーカス制御の基準となる基準フォーカス値を記憶する記憶手段と、基準フォーカス値に所定値を加算した第１修正フォーカス値及び基準フォーカス値に所定値を減算した第２修正フォーカス値を生成する制御手段と、を具備し、制御手段が、基準フォーカス値に基づいてテストデータを記録し、このテストデータを再生する際に生成されるフォーカスエラー信号の基準電圧に対する正側の振幅量と負側の振幅量との比率に基づいて、第１修正フォーカス値または第２修正フォーカス値のいずれかを用い、さらにテストデータの記録を行うか否かを判断することを特徴とする光ディスク装置である。
【手続補正５】
【補正対象書類名】明細書
【補正対象項目名】００１５
【補正方法】変更
【補正の内容】
【００１５】
また本発明は、フォーカス制御の基準となる基準フォーカス値を記憶し、基準フォーカス値に所定値を加算した第１修正フォーカス値及び基準フォーカス値に所定値を減算した第２修正フォーカス値を生成する光ディスク装置の制御方法であって、基準フォーカス値に基づいてテストデータを記録し、このテストデータを再生する際に生成されるフォーカスエラー信号の基準電圧に対する正側の振幅量と負側の振幅量との比率に基づいて、第１修正フォーカス値または第２修正フォーカス値のいずれかを用い、さらにテストデータの記録を行うか否かを判断することを特徴とする光ディスク装置の制御方法。
【手続補正６】
【補正対象書類名】明細書
【補正対象項目名】００１６
【補正方法】変更
【補正の内容】
【００１６】
本発明は上記構成により、制御手段が、基準フォーカス値に基づいてテストデータを記録し、このテストデータを再生する際に生成されるフォーカスエラー信号の基準電圧に対する正側の振幅量と負側の振幅量との比率に基づいて、第１修正フォーカス値または第２修正フォーカス値のいずれかを用い、さらにテストデータの記録を行うか否かを判断することによって、複数のテストデータを記録することにより光ディスクの最適フォーカス制御基準値を算出する処理において、基準フォーカス値によるテスト記録以降のテスト記録にフォーカス制御ができずテストデータを再生できなくなるテストデータの記録をしないので、記録したテストデータを再生して得られる情報の一部が欠落して最適フォーカス制御基準値を算出する処理を正常に行えず、最適フォーカス制御基準値が充分な精度を得られない、もしくは記録したテストデータを再生して得られる情報の一部が欠落することにより最適フォーカス制御基準値を算出する処理自体が中断することを回避できる。その結果、記録層の位置ずれや反りが大きい光ディスクを使用する場合であっても、そのずれ分やそり分を考慮して、使用する光ディスクに最適な対物レンズの位置を算出できる光ディスク装置を実現できる。
【手続補正７】
【補正対象書類名】明細書
【補正対象項目名】００１７
【補正方法】変更
【補正の内容】
【００１７】
また、基準フォーカス値に基づいてテストデータを記録し、このテストデータを再生する際に生成されるフォーカスエラー信号の基準電圧に対する正側の振幅量と負側の振幅量との比率に基づいて、第１修正フォーカス値または第２修正フォーカス値のいずれかを用い、さらにテストデータの記録を行うか否かを判断することによって、複数のテストデータを記録することにより光ディスクの最適フォーカス制御基準値を算出する処理において、基準フォーカス値により記録されたテストデータを再生することにより得られる情報から基準フォーカス値によるテスト記録以降のテスト記録回数を決定するので、使用する光ディスクの個体状況に応じた最適フォーカス制御基準値を算出する精度を向上でき、併せて精度向上が見込めないテスト記録を排除できる。その結果、使用する光ディスクの個体状況に応じた最適フォーカス制御基準値を算出する精度を向上し、併せて精度向上が見込めないテスト記録を排除するので、使用する光ディスクの個体状況に応じた最適フォーカス制御基準値を算出する精度を高めつつ、フォーカス制御基準値算出にかかる時間を最小限に抑えることができる光ディスク装置の制御方法を実現できる。
【手続補正８】
【補正対象書類名】明細書
【補正対象項目名】００１８
【補正方法】変更
【補正の内容】
【００１８】
請求項１記載の発明は、光ディスクからの反射光に基づいてフォーカスエラー信号を生成するフォーカスエラー信号生成手段と、フォーカス制御を行うサーボ処理手段と、フォーカス制御の基準となる基準フォーカス値を記憶する記憶手段と、基準フォーカス値に所定値を加算した第１修正フォーカス値及び基準フォーカス値から所定値を減算した第２修正フォーカス値を生成する制御手段と、を具備し、制御手段が、基準フォーカス値に基づいてテストデータを記録し、このテストデータを再生する際に生成されるフォーカスエラー信号の基準電圧に対する正側の振幅量と負側の振幅量との比率に基づいて、第１修正フォーカス値または第２修正フォーカス値のいずれかを用い、さらにテストデータの記録を行うか否かを判断することを特徴とする。これにより、複数のテストデータを記録することにより光ディスクの最適フォーカス制御基準値を算出する処理において、基準フォーカス値によるテスト記録以降のテスト記録にフォーカス制御ができずテストデータを再生できなくなるテスト記録をしないので、記録したテストデータを再生して得られる情報の一部が欠落して最適フォーカス制御基準値を算出する処理を正常に行えず、最適フォーカス制御基準値が充分な精度を得られない、もしくは記録したテストデータを再生するとき予期せぬ情報の欠落が起こり最適フォーカス制御基準値を算出する処理自体が中断することを回避できる。その結果、記録層の位置ずれや反りが大きい光ディスクを使用する場合であっても、そのずれ分やそり分を考慮して、使用する光ディスクに最適な対物レンズの位置を算出できる光ディスク装置を実現できる。また、複数のテストデータを記録することにより光ディスクの最適フォーカス制御基準値を算出する処理において、基準フォーカス値により記録したテストデータを再生することにより得られる情報から基準フォーカス値によるテスト記録以降のテスト記録回数を決定するので、使用する光ディスクの個体状況に応じた最適フォーカス制御基準値を算出する精度を向上でき、併せて精度向上が見込めないテスト記録を排除できる。その結果、使用する光ディスクの個体状況に応じたフォーカス制御基準値を算出する精度を高めつつ、フォーカス制御基準値算出にかかる時間を最小限に抑えることができる光ディスク装置を実現できる。
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】変更
【補正の内容】
【００２１】
請求項２記載の発明は、制御手段が、基準フォーカス値に基づいて記録されたテストデータから得られたフォーカスエラー信号の基準電圧に対する正側の振幅量が負側の振幅量より大きい場合、基準フォーカス値の代わりに第１修正フォーカス値を用いてテストデータの記録を行うことを特徴とする。これにより、複数のテストデータを記録することにより光ディスクの最適フォーカス制御基準値を算出する処理において、基準フォーカス値によるテスト記録が最適記録条件から離れた条件であると判断して更に最適記録条件から離れると予想される第２修正フォーカス値を用いたテスト記録を行わないので、記録したテストデータを再生する際にフォーカス制御ができず、記録したテストデータを再生できなくなる確率を低く抑え、記録したテストデータを再生して得られる情報の一部が欠落して最適フォーカス制御基準値を算出する処理を正常に行えず、最適フォーカス制御基準値が充分な精度を得られない、もしくは記録したテストデータを再生するとき予期せぬ情報の欠落が起こり最適フォーカス制御基準値を算出する処理自体が中断することを回避できる。その結果、記録層の位置ずれや反りが大きい光ディスクを使用する場合であっても、そのずれ分やそり分を考慮して、使用する光ディスクに最適な対物レンズの位置を算出できる光ディスク装置を実現できる。
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】変更
【補正の内容】
【００２３】
請求項３記載の発明は、基準フォーカス値に基づいて記録されたテストデータから得られたフォーカスエラー信号の基準電圧に対する正側の振幅量が負側の振幅量より小さい場合、基準フォーカス値の代わりに第２修正フォーカス値を用いてテストデータの記録を行うことを特徴とする。これにより、複数のテストデータを記録することにより光ディスクの最適フォーカス制御基準値を算出する処理において、基準フォーカス値によるテスト記録が最適記録条件から離れた条件であると判断して更に最適記録条件から離れると予想される第１修正フォーカス値を用いたテスト記録を行わないので、記録したテストデータを再生する際にフォーカス制御ができず、記録したテストデータを再生できなくなる確率を低く抑え、記録したテストデータを再生して得られる情報の一部が欠落して最適フォーカス制御基準値を算出する処理を正常に行えず、最適フォーカス制御基準値が充分な精度を得られない、もしくは記録したテストデータを再生するとき予期せぬ情報の欠落が起こり最適フォーカス制御基準値を算出する処理自体が中断することを回避できる。その結果、記録層の位置ずれや反りが大きい光ディスクを使用する場合であっても、そのずれ分やそり分を考慮して、使用する光ディスクに最適な対物レンズの位置を算出できる光ディスク装置を実現できる。
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】変更
【補正の内容】
【００２５】
請求項４記載の発明は、光ディスクからの反射光に基づいてフォーカスエラー信号を生成するフォーカスエラー信号生成手段と、フォーカス制御及びチルト制御を行うサーボ処理手段と、フォーカス制御の基準となる第１基準フォーカス値及び第２基準フォーカス値と、チルト制御の基準となる第１基準チルト値及び第２基準チルト値とを記憶する記憶手段と、第１基準フォーカス値に所定値を加算した第１修正フォーカス値及び第１基準フォーカス値から所定値を減算した第２修正フォーカス値を生成し、第２基準フォーカス値に所定値を加算した第３修正フォーカス値及び第２基準フォーカス値から所定値を減算した第４修正フォーカス値を生成する制御手段と、を具備し、制御手段が、第１基準フォーカス値と第１基準チルト値との組み合わせに基づいてテストデータを記録し、このテストデータを再生する際に生成されるフォーカスエラー信号の基準電圧に対する正側の振幅量と負側の振幅量との比率に基づいて、第１修正フォーカス値または第２修正フォーカス値のいずれかを用い、さらにテストデータの記録を行うか否かを判断すると共に、第２基準フォーカス値と第２基準チルト値との組み合わせに基づいてテストデータを記録し、このテストデータを再生する際に生成されるフォーカスエラー信号の基準電圧に対する正側の振幅量と負側の振幅量との比率に基づいて、第３修正フォーカス値または第４修正フォーカス値のいずれかを用い、さらにテストデータの記録を行うか否かを判断することを特徴とする。これにより、複数のテストデータを記録することにより光ディスクの最適フォーカス制御基準値を算出する処理において、第１基準フォーカス値と第１基準チルト値とに基づくテスト記録もしくは第２基準フォーカス値と第２基準チルト値とに基づくテスト以降にフォーカス制御又はチルト制御ができずテストデータを再生できなくなるテスト記録をしないので、記録したテストデータを再生して得られる情報の一部が欠落して最適フォーカス制御基準値を算出する処理を正常に行えず、最適フォーカス制御基準値が充分な精度を得られない、もしくは記録したテストデータを再生するとき予期せぬ情報の欠落が起こり最適フォーカス制御基準値を算出する処理自体が中断することを回避できる。その結果、記録層の位置ずれや反りが大きい光ディスクを使用する場合であっても、そのずれ分やそり分を考慮して、使用する光ディスクに最適な対物レンズの位置を算出できる光ディスク装置を実現できる。
【手続補正１６】
【補正対象書類名】明細書
【補正対象項目名】００２６
【補正方法】変更
【補正の内容】
【００２６】
請求項５記載の発明は、フォーカス制御の基準となる基準フォーカス値を記憶し、基準フォーカス値に所定値を加算した第１修正フォーカス値及び基準フォーカス値から所定値を減算した第２修正フォーカス値を生成する光ディスク装置の制御方法であって、基準フォーカス値に基づいてテストデータを記録し、このテストデータを再生する際に生成されるフォーカスエラー信号の基準電圧に対する正側の振幅量と負側の振幅量との比率に基づいて、第１修正フォーカス値または第２修正フォーカス値のいずれかを用い、さらにテストデータの記録を行うか否かを判断することを特徴とする。これにより、複数のテストデータを記録することにより光ディスクの最適フォーカス制御基準値を算出する処理において、基準フォーカス値によるテスト記録以降のテスト記録にフォーカス制御ができずテストデータを再生できなくなるテスト記録をしないので、記録したテストデータを再生して得られる情報の一部が欠落して最適フォーカス制御基準値を算出する処理を正常に行えず、最適フォーカス制御基準値が充分な精度を得られない、もしくは記録したテストデータを再生するとき予期せぬ情報の欠落が起こり最適フォーカス制御基準値を算出する処理自体が中断することを回避できる。その結果、記録層の位置ずれや反りが大きい光ディスクを使用する場合であっても、そのずれ分やそり分を考慮して、使用する光ディスクに最適な対物レンズの位置を算出できる光ディスク装置のフォーカス制御方法を実現できる。また、複数のテストデータを記録することにより光ディスクの最適フォーカス制御基準値を算出する処理において、基準フォーカス値により記録したテストデータを再生することにより得られる情報から基準フォーカス値によるテスト記録以降のテスト記録回数を決定するので、使用する光ディスクの個体状況に応じた最適フォーカス制御基準値を算出する精度を向上でき、併せて精度向上が見込めないテスト記録を排除できる。その結果、使用する光ディスクの個体状況に応じたフォーカス制御基準値を算出する精度を高めつつ、フォーカス制御基準値算出にかかる時間を最小限に抑えることができる光ディスク装置の制御方法を実現できる。
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】変更
【補正の内容】
【００３３】
請求項６記載の発明は、フォーカス制御の基準となる第１基準フォーカス値及び第２基準フォーカス値と、チルト制御の基準となる第１基準チルト値及び第２基準チルト値とを記憶し、第１基準フォーカス値に所定値を加算した第１修正フォーカス値及び第１基準フォーカス値から所定値を減算した第２修正フォーカス値を生成し、第２基準フォーカス値に所定値を加算した第３修正フォーカス値及び第２基準フォーカス値から所定値を減算した第４修正フォーカス値を生成する光ディスク装置の制御方法であって、第１基準フォーカス値と第１基準チルト値との組み合わせに基づいてテストデータを記録し、このテストデータを再生する際に生成されるフォーカスエラー信号の基準電圧に対する正側の振幅量と負側の振幅量との比率に基づいて、第１修正フォーカス値または第２修正フォーカス値のいずれかを用い、さらにテストデータの記録を行うか否かを判断すると共に、第２基準フォーカス値と第２基準チルト値との組み合わせに基づいてテストデータを記録し、このテストデータを再生する際に生成されるフォーカスエラー信号の基準電圧に対する正側の振幅量と負側の振幅量との比率に基づいて、第３修正フォーカス値または第４修正フォーカス値のいずれかを用い、さらにテストデータの記録を行うか否かを判断することを特徴とする。これにより、複数のテストデータを記録することにより光ディスクの最適フォーカス制御基準値を算出する処理において、第１基準フォーカス値と第１基準チルト値とに基づくテスト記録もしくは第２基準フォーカス値と第２基準チルト値とに基づくテスト以降にフォーカス制御又はチルト制御ができずテストデータを再生できなくなるテスト記録をしないので、記録したテストデータを再生して得られる情報の一部が欠落して最適フォーカス制御基準値を算出する処理を正常に行えず、最適フォーカス制御基準値が充分な精度を得られない、もしくは記録したテストデータを再生するとき予期せぬ情報の欠落が起こり最適フォーカス制御基準値を算出する処理自体が中断することを回避できる。その結果、記録層の位置ずれや反りが大きい光ディスクを使用する場合であっても、そのずれ分やそり分を考慮して、使用する光ディスクに最適な対物レンズの位置を算出できる光ディスク装置の制御方法を実現できる。